(57)【要約】【課題】フェンスや建築物の壁などの組み立てが容易で、耐久性に優れる建築用ブロックを提供する。【解決手段】建築用ブロック１０は、第一部材１２と、第一部材１２と対向するように配置された第二部材１４と、第一部材１２と第二部材１４の間に配置され、第一部材１２と第二部材１４を連結する接続部材１６を備えている。第一部材１２および第二部材１４は、溝１２ａ，１４ａ、溝１２ｂ，１４ｂ、溝１２ｃ，１４ｃ、溝１２ｄ，１４ｄ、溝１２ｅ，１４ｅ、および溝１２ｆ，１４ｆを備えている。接続部材１６は、本体部１６ｐと、薄板状の２つの刃部を備えている。本体部１６ｐは、少なくとも一対の溝１２ａ，１４ａに装着されている。２つの刃部は、第一部材１２および第二部材１４にそれぞれ差し込まれている。【選択図】図１
2019015121.tif 000002
【特許請求の範囲】
【請求項１】
第一部材と、前記第一部材と対向するように配置された第二部材と、前記第一部材と前記第二部材の間に配置され、前記第一部材と前記第二部材を連結する接続部材とを有する建築用ブロックであって、
前記第一部材および前記第二部材が、少なくとも一対の溝を備え、
前記接続部材が、本体部と、刃部とを備え、
前記本体部が、前記少なくとも一対の溝に装着され、
前記刃部が、前記第一部材および前記第二部材の少なくとも一方に差し込まれている建築用ブロック。
【請求項２】
請求項１において、
前記本体部が板状部材である建築用ブロック。
【請求項３】
請求項２において、
前記少なくとも一対の溝の各底面に配置される前記本体部の２つの面に、薄板状の前記刃部がそれぞれ設けられており、
前記刃部が前記第一部材および前記第二部材にそれぞれ差し込まれている建築用ブロック。
【請求項４】
請求項３において、
前記刃部が、下方に向かって狭くなるような斜面を備えている建築用ブロック。
【請求項５】
請求項１から４のいずれかにおいて、
前記第一部材および前記第二部材が、主に発泡樹脂から構成されている建築用ブロック。
【請求項６】
請求項１から５のいずれかにおいて、
前記第一部材および前記第二部材が、少なくとも四対の溝を備えている建築用ブロック。
【請求項７】
請求項１から６のいずれかにおいて、
前記第一部材および前記第二部材が板状部材である建築用ブロック。
【発明の詳細な説明】
【技術分野】
【０００１】
本発明は、フェンスや建築物の壁などを組み立てるときに用いる建築用ブロックに関するものである。
【背景技術】
【０００２】
建築用ブロックとしてコンクリート製のブロックがよく知られている。コンクリートブロックでフェンスを作製する場合、あらかじめ鉛直方向に設けられた鉄筋の上方にブロックを持ち上げてから、この鉄筋がブロックの穴を通るようにブロックを降ろし、これを繰り返して複数のブロックを下から積み上げていく。しかしながら、コンクリートブロックは重いので、鉛直方向の鉄筋の上方にブロックを移動するのが大変である。
【０００３】
そこで、コンクリートブロックより軽い発泡スチロール製のブロックを使用すれば、フェンスを作製するときにブロックを持ち上げる労力が軽減される。しかし、依然として、鉛直方向の鉄筋の上方に発泡スチロールブロックを持ち上げる必要がある。このため、フェンスや建築物の壁などの組み立てが容易で、耐久性に優れる建築用ブロックの出現が望まれている。
【発明の概要】
【発明が解決しようとする課題】
【０００４】
本発明はこのような事情に鑑みてなされたものであり、フェンスや建築物の壁などの組み立てが容易で、耐久性に優れる建築用ブロックを提供することを目的とする。
【課題を解決するための手段】
【０００５】
本発明の建築用ブロックは、第一部材と、第一部材と対向するように配置された第二部材と、第一部材と第二部材の間に配置され、第一部材と第二部材を連結する接続部材とを有し、第一部材および第二部材が、少なくとも一対の溝を備え、接続部材が、本体部と、刃部とを備え、本体部が、少なくとも一対の溝に装着され、刃部が、第一部材および第二部材の少なくとも一方に差し込まれている。
【発明の効果】
【０００６】
本発明の建築用ブロックでは、フェンスなどの支柱を水平方向から挟むようにして、第一部材および第二部材が設置でき、設置した第一部材および第二部材の間に接続部材の本体部が装着できる。このため、本発明の建築用ブロックを用いれば、支柱の上方に建築用ブロックを持ち上げなくてもフェンスなどが組み立てられる。また、本発明の建築用ブロックでは、接続部材の刃部が、第一部材および第二部材の少なくとも一方に差し込まれている。このため、第一部材や第二部材と接続部材とが強固に連結される。したがって、本発明の建築用ブロックは耐久性に優れている。
【図面の簡単な説明】
【０００７】
【図１】実施形態の建築用ブロックの斜視図。
【図２】実施形態の建築用ブロックの上面図。
【図３】図２の部分拡大図。
【図４】実施形態の建築用ブロックの左面図。
【図５】実施形態の建築用ブロックの接続部材の上面図。
【図６】実施形態の建築用ブロックの接続部材の左面図。
【図７】実施形態の建築用ブロックの接続部材の前面図。
【図８】実施形態の建築用ブロックを用いて組み立てたフェンスの斜視図。
【発明を実施するための形態】
【０００８】
以下、本発明の建築用ブロックについて、図面を参照しながら実施形態に基づいて説明する。なお、図面は、建築用ブロック、建築用ブロックの構成部材、および建築用ブロックの周辺部材を模式的に表したものであり、これらの実物の寸法および寸法比は、図面上の寸法および寸法比と必ずしも一致していない。また、特にことわらない限り、本明細書では、便宜上、図１に示す建築用ブロックの向きを基準に、上下、左右、および前後などの方向を表す。重複説明は適宜省略し、同一部材には同一符号を付与することがある。
【０００９】
図１から図４は、本発明の実施形態に係る建築用ブロック１０を示している。建築用ブロック１０は、第一部材１２と、第二部材１４と、接続部材１６，１８，２０，２２，２４，２６とを備えている。第一部材１２が建築用ブロック１０の前面に現れ、第二部材１４が建築用ブロック１０の後面に現れる。第一部材１２と第二部材１４は、主に発泡樹脂からなる板状部材である。より具体的には、第一部材１２と第二部材１４は、表面が塗装された発泡樹脂製板状材である。第一部材１２と第二部材１４が主に発泡樹脂からなるため、建築用ブロック１０は、軽くて断熱性に優れている。
【００１０】
第一部材１２は、６つの溝１２ａ，１２ｂ，１２ｃ，１２ｄ，１２ｅ，１２ｆを備えている。また、第二部材１４も、６つの溝１４ａ，１４ｂ，１４ｃ，１４ｄ，１４ｅ，１４ｆを備えている。すなわち、第一部材１２および第二部材１４は、六対の溝（溝１２ａ，１４ａ、溝１２ｂ，１４ｂ、溝１２ｃ，１４ｃ、溝１２ｄ，１４ｄ、溝１２ｅ，１４ｅ、および溝１２ｆ，１４ｆ）を備えている。そして、これら六対の溝がそれぞれ対向するように、第一部材１２と第二部材１４が対向配置されている。
【００１１】
本実施形態では、第一部材１２および第二部材１４が六対の溝を備えているが、第一部材１２および第二部材１４は、少なくとも一対の溝を備えていればよい。しかしながら、第一部材１２および第二部材１４が少なくとも四対の溝を備えていることが好ましい。詳細は後述するが、建築用ブロックを左右方向に半分ずつずらして積み上げてフェンスなどを組み立てるときに、建築用ブロックの中央と左右両端に支柱が配置できるからである。
【００１２】
図５から図７は、接続部材１６を示している。接続部材１６は、第一部材１２と第二部材１４の間に配置され、第一部材１２と第二部材１４を連結している。接続部材１６は、本体部１６ｐと、刃部１６ｑ，１６ｒとを備えている。本体部１６ｐは、樹脂製の板状部材である。なお、本体部１６ｐの材質や形状等には特に制限がない。刃部１６ｑは本体部１６ｐの前面１６ｇの上部に設けられている。また、刃部１６ｒは本体部１６ｐの後面１６ｈの上部に設けられている。本実施形態では、ネジＳによって、刃部１６ｑ，１６ｒが本体部１６に固定されている。なお、刃部１６ｑ，１６ｒの本体部１６への固定方法は特に制限がない。刃部１６ｑ，１６ｒは金属製の薄板状部材である。
【００１３】
本体部１６ｐは、溝１２ａ，１４ａに装着されている。より具体的には、溝１２ａの底面１２ｐに本体部１６ｐの前面１６ｇが、溝１４ａの底面１４ｐに本体部１６ｐの後面１４ｇがそれぞれ配置されるように、本体部１６ｐが溝１２ａ，１４ａに装着されている。そして、刃部１６ｑが第一部材１２に、刃部１６ｒが第二部材１４にそれぞれ差し込まれている。より具体的には、溝１２ａの底面１２ｐの両端に切り込みＬを形成しながら、刃部１６ｑが第一部材１２に差し込まれる。このとき、溝１４ａの底面１４ｐの両端にも切り込みＬを形成しながら、刃部１６ｒが第二部材１４に差し込まれる。
【００１４】
なお、第一部材１２と第二部材１４に差し込むことができれば、刃部１６ｑ，１６ｒの材質や形状等には特に制限がない。本実施形態では、刃部１６ｑ，１６ｒが薄板状なので、第一部材１２と第二部材１４に差し込みやすい。刃部１６ｑは、下方に向かって狭くなるような斜面１６ｓ，１６ｔを備えている。また、同様に、刃部１６ｒは、下方に向かって狭くなるような２つの斜面を備えている。このため、刃部１６ｑ，１６ｒは、第一部材１２と第二部材１４に差し込みやすい。さらに、本実施形態では、第一部材１２と第二部材１４が主に発泡樹脂から構成されているため、刃部１６ｑ，１６ｒが第一部材１２と第二部材１４に差し込みやすい。
【００１５】
接続部材１８，２０，２２，２４，２６も同様に、溝１２ｂ，１４ｂ、溝１２ｃ，１４ｃ、溝１２ｄ，１４ｄ、溝１２ｅ，１４ｅ、および１２ｆ，１４ｆに、それぞれ嵌められている。なお、接続部材が１つの刃部のみを備え、第一部材１２および第二部材１４の一方に差し込まれていてもよい。このとき、第一部材１２に刃部が差し込まれる接続部材と、第二部材１４に刃部が差し込まれる接続部材とを交互に配置することが好ましい。第一部材１２および第二部材１４と接続部材とが強固に固定できるからである。また、一部の接続部材には刃部を設けなくてもよい。刃部が設けられた接続部材によって、第一部材１２および第二部材１４と接続部材とが強固に固定できるからである。
【００１６】
図８は、建築用ブロック１０を用いて作製したフェンス３０を示している。フェンス３０は、複数の建築用ブロック１０と、複数の支柱３２を備えている。図８に示すように、フェンス３０では、建築用ブロック１０が左右方向に半分ずつずれて積み上げられている。支柱３２は、第一部材１２、第二部材１４、および接続部材２０，２２または第一部材１２、第二部材１４、および接続部材１６，２６に囲まれている。
【００１７】
フェンス３０は以下のようにして作製する。まず、フェンス３０の設置面に、複数の支柱３２を所定の間隔で鉛直に固定する。つぎに、水平方向から第一部材１２と第二部材１４で支柱３２を挟み込む。そして、第一部材１２と第二部材１４の間に、接続部材１６，１８，２０，２２，２４，２６を設ける。例えば接続部材１６を設けるときには、溝１２ａ，１４ａの上から本体部１６ｐを挿入する。このとき、本体部１６ｐの上面を木槌等の工具で叩いてもよい。溝１２ａ，１４ａに挿入された本体部１６ｐが下降する際、刃部１６ｑ，１６ｒによって、第一部材１２および第二部材１４に切り込みＬが形成される。
【００１８】
最後に、建築用ブロック１０と支柱３２の上に、これらを覆うカバー部材（不図示）を設けてもよい。このように、建築用ブロック１０を用いれば、フェンス３０が簡易に組み立てられる。なお、フェンス３０を設置する現場の状況等に応じて、あらかじめ建築用ブロック１０を組み立てておき、第一部材１２、第二部材１４、および接続部材２０，２２で形成される孔、第一部材１２、第二部材１４、および接続部材１６で形成される溝、ならびに第一部材１２、第二部材１４、および接続部材２４で形成される溝に支柱３２が装着されるように、建築用ブロック１０を上から降ろして設置してもよい。
【符号の説明】
【００１９】
１０  建築用ブロック
１２  第一部材
１２ａ，１２ｂ，１２ｃ，１２ｄ，１２ｅ，１２ｆ  溝
１４  第二部材
１４ａ，１４ｂ，１４ｃ，１４ｄ，１４ｅ，１４ｆ  溝
１６  接続部材
１６ｐ  本体部
１６ｑ，１６ｒ  刃部
１８，２０，２２，２４，２６  接続部材
３０  フェンス
３２  支柱
Ｌ    切り込み
【図１】
2019015121.tif 000003
【図２】
2019015121.tif 000004
【図３】
2019015121.tif 000005
【図４】
2019015121.tif 000006
【図５】
2019015121.tif 000007
【図６】
2019015121.tif 000008
【図７】
2019015121.tif 000009
【図８】
2019015121.tif 000010